(57)【要約】【課題】製造が容易で、リーフの差し換えをし易いように綴杆を開き易く且つ閉じ易い綴具を提供する。【解決手段】この綴具は、複数の綴杆部１２と、前記綴杆部を連結するための連結部１４とを備え、前記綴杆部を構成する綴杆２０，３０は、前記連結部１４の長手方向に適宜な間隔をおいて、連結部から突設され、綴杆２０，３０のうち、対向する一方の複数の綴杆を、同時に、連結部の長手方向に変位させ、且つ対向する他方の複数の綴杆の係止部２２，３２から、脱係するように構成されるとともに、対向する一対の綴杆を、連結部に連設された基部とは反対側の自由端２０ｂ，３０ｂに形成された先端の係止部２２，３２において係止させて綴杆部１２を閉じ、且つ対向する一対の綴杆を、連結部に連設された基部とは反対側の自由端に形成された先端の係止部２２，３２の係止を解除して綴杆部１２を開くように構成されている。【選択図】図１
2010120367.tif 000002
【特許請求の範囲】
【請求項１】
複数の綴杆部と、前記綴杆部を連結するための連結部とを備える綴具であって、
前記綴杆部を構成する綴杆は、前記連結部の長手方向に適宜な間隔をおいて、連結部から突設され、
綴杆のうち、対向する一方の複数の綴杆を、同時に、連結部の長手方向に変位させ、且つ対向する他方の複数の綴杆の係止部から、脱係するように構成されるとともに、対向する一対の綴杆を、連結部に連設された基部とは反対側の自由端に形成された先端の係止部において係止させて綴杆部を閉じ、且つ対向する一対の綴杆を、連結部に連設された基部とは反対側の自由端に形成された先端の係止部の係止を解除して綴杆部を開くように構成された、綴具。
【請求項２】
連結部は、連結部の長手方向に綴杆を変位させて係止部を脱係させるための変位部が形成された、請求項１に記載の綴具。
【請求項３】
変位部は、
高さ方向における、第１連結部及び／又は第２連結部の端部に、突設された摘み部によって構成された、請求項２に記載の綴具。
【請求項４】
綴杆部は、対向する複数の綴杆に嵌挿された、被綴じ物ないし変位体によって、複数の綴杆を一緒に撓ませて係止部の係止を解除されるように、弾力性を持たせた、請求項１に記載の綴具。
【請求項５】
綴杆部は、長い綴杆と短い綴杆とからなり、
前記長い綴杆に嵌挿された被綴じ物又は変位体によって、複数の綴杆を撓ませるように構成された、請求項４に記載の綴具。
【発明の詳細な説明】
【技術分野】
【０００１】
この発明は、ファイリング用の綴具に関するものであり、特に、例えばセルリング式ノート又は綴じ穴のあるリーフを綴じるファイル・バインダ類に用いられる綴具である。
【背景技術】
【０００２】
従来、リング状の部材を用いて、穴の開いたリーフを綴じていたノートは、そのリングの形状に沿って、３６０°リーフを広げること、すなわち開くだけでなく、リーフを折り返しノートの表面側と裏面側とを重ねることができ、１８０度しか開かないノートと比して半分のスペースで活用することができた。しかし、このセルリング式ノートは、リーフの差し替えができない欠点があった。
一方、特許第３４４０３５６号及び実開平７−１７５７８号の綴具を用いたノート、すなわちリーフを綴じる綴杆部が開閉可能なノートは、リーフの差し替えが可能である。
【０００３】
【特許文献１】特許第３４４０３５６号
【特許文献２】実開平７−１７５７８号
【発明の開示】
【発明が解決しようとする課題】
【０００４】
しかしながら、特許第３４４０３５６号の綴具は、複数の櫛部（２）を有する２本の主部材（１）からなる綴具であって、主部材（１ａ）の先端（７ａ）にスライド可能なリング部材（４）を設け、かつ、このリング部材（４）の内側の形状は主部材（１ａ）と主部材（１ｂ）とを一体に合わせた外形とほぼ同一もしくは少し小さなものであり、リーフの差し換えのために、２本の主部材を分離した後に、複数の櫛部の先端の嵌合手段を嵌合するときに、多くの櫛部を嵌合するために比較的手間がかかった。
また、実開平７−１７５７８号の綴具は、複数の綴環を起立した第１部材と第２部材とを共通の軸線で枢着している。したがって、第１部材と第２部材とは分離しないが、綴環１５，１７の基部に複数の綴環を連結する棒状の連結部を形成し、その連結部の内側面から張出部２３を突設しているために、例えば、机の上に置いて綴具を開こうとしても、綴環の基部の外側が机の面に突き出たり、綴環が充分開かず、リーフの出し入れが比較的困難である。また、合成樹脂による一体成形は、製造用金型が複雑な構造となり、困難である。
それゆえに、この発明の主たる目的は、製造が容易で、リーフの差し換えをし易いように綴杆を開き易く且つ閉じ易い綴具を提供することである。
【課題を解決するための手段】
【０００５】
この発明にかかる綴具は、複数の綴杆部と、前記綴杆部を連結するための連結部とを備える綴具であって、前記綴杆部を構成する綴杆は、前記連結部の長手方向に適宜な間隔をおいて、連結部から突設され、綴杆のうち、対向する一方の複数の綴杆を、同時に、連結部の長手方向に変位させ、且つ対向する他方の複数の綴杆の係止部から、脱係するように構成されるとともに、対向する一対の綴杆を、連結部に連設された基部とは反対側の自由端に形成された先端の係止部において係止させて綴杆部を閉じ、且つ対向する一対の綴杆を、連結部に連設された基部とは反対側の自由端に形成された先端の係止部の係止を解除して綴杆部を開くように構成された、綴具である。
この発明の請求項２にかかる綴具は、連結部は、連結部の長手方向に綴杆を変位させて係止部を脱係させるための変位部が形成された、請求項１に記載の綴具である。
この発明の請求項３にかかる綴具は、変位部は、高さ方向における、第１連結部及び／又は第２連結部の端部に、突設された摘み部によって構成された、請求項２に記載の綴具である。
この発明の請求項４にかかる綴具は、綴杆部は、対向する複数の綴杆に嵌挿された、被綴じ物ないし変位体によって、複数の綴杆を一緒に撓ませて係止部の係止を解除されるように、弾力性を持たせた、請求項１に記載の綴具である。
この発明の請求項５にかかる綴具は、綴杆部は、長い綴杆と短い綴杆とからなり、前記長い綴杆に嵌挿された被綴じ物又は変位体によって、複数の綴杆を撓ませるように構成された、請求項４に記載の綴具である。
【発明の効果】
【０００６】
この発明によれば、複数の綴杆部と、前記綴杆部を連結するための連結部とを備える綴具であって、前記綴杆部を構成する綴杆は、前記連結部の長手方向に適宜な間隔をおいて、連結部から突設され、綴杆のうち、対向する一方の複数の綴杆を、同時に、連結部の長手方向に変位させ、且つ対向する他方の複数の綴杆の係止部から、脱係するように構成されるとともに、対向する一対の綴杆を、連結部に連設された基部とは反対側の自由端に形成された先端の係止部において係止させて綴杆部を閉じ、且つ対向する一対の綴杆を、連結部に連設された基部とは反対側の自由端に形成された先端の係止部の係止を解除して綴杆部を開くように構成されているので、製造が容易で、リーフの差し換えをし易いように綴杆を開き易く且つ閉じ易い綴具を提供することができる。
請求項２の発明によれば、連結部は、連結部の長手方向に綴杆を変位させて係止部を脱係させるための変位部が形成されているので、変位部を変位させて綴杆の係止部を脱係させ、綴杆を開くことができる。
請求項３の発明によれば、変位部は、高さ方向における、第１連結部及び／又は第２連結部の端部に、突設された摘み部によって構成されているので、綴杆を開くときに、抓み部を摘んで係止する綴杆の回転方向と交差する方向に相対移動させ、回転させて、一度に開くことができるように構成できる。
請求項４の発明によれば、綴杆部は、対向する複数の綴杆に嵌挿された、被綴じ物ないし変位体によって、複数の綴杆を一緒に撓ませて係止部の係止を解除されるように、弾力性を持たせているので、綴杆部を撓ませて、一緒に綴杆部を開くことができる。
請求項５の発明によれば、綴杆部は、長い綴杆と短い綴杆とからなり、前記長い綴杆に嵌挿された被綴じ物又は変位体によって、複数の綴杆を撓ませるように構成されているので、綴杆部を撓ませて、一緒に綴杆部を開くことができる。
【０００７】
この発明の上述の目的、その他の目的、特徴及び利点は、図を参照して行う以下の発明を実施するための最良の形態の説明から一層明らかとなろう。
この明細書及び特許請求の範囲において、リーフは、用紙、合成樹脂製ポケット、表紙等の被綴じ物の総称である。
【発明を実施するための最良の形態】
【０００８】
図１は、この発明にかかる綴具を用いたノートの斜視図解図であり、図２は、この発明にかかる綴具の斜視図解図であり、（Ａ）は全体の図で、（Ｂ）は部分的に拡大した図であり、図３は、この発明にかかる綴具の斜視図解図であり、（Ａ）は全体の図で、（Ｂ）は部分的に拡大した図であり、（Ｃ）（Ｄ）は半割杆の図であり、図４は、第１綴具部材の斜視図解図であり、図５は、第２綴具部材の斜視図解図であり、図６は、この発明にかかる綴具を分解した状態における斜視図解図であり、図７は、閉じた状態における綴具の正面図解図であり、図８は、閉じた状態における綴具の背面図解図であり、図９は、図７Ａ−Ａ断面図解図であり、図１０は、図７Ｂ−Ｂ断面図解図であり、図１１は、開き始めた状態における綴具の正面図解図であり、図１２は、開き始めた状態における綴具の背面図解図であり、図１３は、開いた状態における綴具の正面図解図であり、図１４は、開いた状態における綴具の背面図解図であり、図１５は、図１３Ａ−Ａ断面図解図であり、図１６は、図１３Ｂ−Ｂ断面図解図である。
この発明の綴具１０は、複数の綴杆部１２と、前記綴杆部１２を連結するための連結部１４と、前記綴杆部１２を構成する綴杆を開閉させるときの中心となる軸部１６とを備える綴具であって、綴杆部１２を連結部１４の長さ方向に変位させて閉じている綴杆部１２を開くことができるように構成されている。
この綴具１０は、主として、一般的にセルリング式ノートと称されるノートに類似したノート用として構成され、綴具１０の綴杆部１２に沿ってリーフ１１０を回転させて３６０度広げること、すなわち綴杆部１２に綴じられたリーフ１１０を綴杆に沿って捲り、３６０度捲りかえし、閉じたときに両端にあるリーフ１１０の表側と裏側とが軸部１６を挟んで接し合うことができるように、構成されている。
通常、綴じ穴のある筆記する用紙の表側及び裏側に該用紙よりも比較的硬質の表紙が積層されており、この明細書及び特許請求の範囲においては、リーフ１１０の表側及び裏側には、用紙、合成樹脂製ポケット等の表面側の表表紙の表側と裏面側の裏表紙の裏側とを含まれる。
【０００９】
前記綴杆部１２を構成する綴杆は、一対の綴杆が向き合うように、前記連結部１４を構成する一対の連結部１４の各々にその長手方向に適宜な間隔をおいて、連結部１４の外側部ないし上側部から突設され、前記綴杆部１２は、前記軸部１６を中心にして左右に分かれた、対称形である第１綴杆２０及び第２綴杆３０を備える。
前記連結部１４は、前記軸部１６を中心にして左右に分かれた、対称形である第１連結部５０及び第２連結部６０を備え、第１連結部５０及び第２連結部６０は、向こう側から手前側に連続して長手方向に直線状にのびる略柱状である。
【００１０】
この実施の形態においては、第１綴杆２０及び第１連結部５０は、第１綴具部材１８Ａに形成され、第２綴杆３０及び第２連結部６０は、第２綴具部材１８Ｂに形成され、第１綴具部材１８Ａと第２綴具部材１８Ｂとは、対称形に形成されている。
【００１１】
前記連結部１４は、綴杆部１２に綴じられたリーフ１１０を第１綴杆２０及び第２綴杆３０に沿って捲り、３６０度捲りかえし、閉じたときに両端にあるリーフ１１０の表側と裏側とが軸部１６を挟んで接し合うことができるように、下部において第１綴杆２０及び第２綴杆３０の基部と近接した位置に軸部１６を連設されている。
前記軸部１６は、前記連結部１４（第１連結部５０と第２連結部６０）の長手方向にのびて一対の連結部１４（第１連結部５０と第２連結部６０と）を連結し、前記第１綴杆２０の自由端２０ｂと第２綴杆３０の自由端３０ｂとを合わせて閉鎖するとき及び第１綴杆２０の自由端２０ｂと第２綴杆３０の自由端３０ｂとを離間させるときに回転中心となり、綴杆部１２に綴じられたリーフ１１０を第１綴杆２０及び第２綴杆３０に沿って捲り、３６０度捲りかえすことができるように構成されている。
【００１２】
綴杆部１２は、第１綴杆２０及び第２綴杆３０の連結部１４に連設された基部２０ａ及び基部３０ａとは反対側の自由端２０ｂ及び自由端３０ｂに、第１綴杆２０及び第２綴杆３０を閉鎖したときに係止するための綴杆係止部を形成されている。すなわち、第１綴杆２０は、基部２０ａとは反対側の頂部である自由端２０ｂに第１綴杆の綴杆係止部２２を形成され、第２綴杆３０は、基部３０ａとは反対側の頂部である自由端３０ｂに第２綴杆の綴杆係止部３２を形成されている。
綴杆部１２は、基部２０ａ及び基部３０ａから頂部に至る高さ方向（垂直方向）と、第１綴杆２０の外周部（外側部）から第２綴杆３０の外周部（外側部）に至る幅方向（水平方向）とを備え、第１綴杆２０及び第２綴杆３０の厚さ（外周部と内周部との間の長さ）よりも、綴具の長さ方向における第１綴杆２０及び第２綴杆３０の幅の方が長い、断面長方形状である。そして、第１綴杆２０及び第２綴杆３０は、基部２０ａ及び基部３０ａから頂部に至るまで、リーフ１１０を捲ることができるように、リーフ１１０の綴じ穴１１２に貫挿される形状に構成されている。
前記第１綴杆の綴杆係止部２２及び第２綴杆の綴杆係止部３２は、係止する第１綴杆２０及び第２綴杆３０の回転方向と交差する方向に、すなわち軸部１６の長手方向に第１綴杆２０及び第２綴杆３０を相対移動して、第１綴杆２０及び第２綴杆３０の先端を合わせて閉鎖するときに係止し又は第１綴杆２０及び第２綴杆３０の先端を離間させるときに脱係するように形成されている。
【００１３】
第１綴杆２０は、閉じたときに略円環状の綴杆となるように、半円弧状の半割杆２０Ａから構成され、第２綴杆３０は、閉じたときに略円環状の綴杆となるように、半円弧状の半割杆３０Ａから構成されている。
そして、リーフ１１０に予め穿設された綴じ穴１１２に挿通して、リーフ１１０を綴じることができるように、半割杆２０Ａと半割杆３０Ａとの先端、すなわち第１綴杆２０及び第２綴杆３０の頂部において、綴杆係止部２２，３２が形成されている。
第１綴杆２０を構成する半割杆２０Ａと第２綴杆３０を構成する半割杆３０Ａとは、半割杆２０Ａの第１綴杆の綴杆係止部２２と、半割杆３０Ａの第２綴杆の綴杆係止部３２とを係止することにより、略円環状に連結される。
綴杆部１２を閉じるときにおいては、第１綴杆２０の第１綴杆の綴杆係止部２２と第２綴杆３０の第２綴杆の綴杆係止部３２とを係合させて、略円環状となるように構成されている。
そして、綴杆部１２を開くときにおいては、第１綴杆２０と第２綴杆３０とは、連結部１４の長さ方向に第１綴杆２０または第２綴杆３０を変位させる。すなわち、第１綴杆２０と第２綴杆３０とは、第１綴杆の綴杆係止部２２及び第２綴杆の綴杆係止部３２を脱係させるための変位部８８Ａと変位部９８Ａとをそれぞれ別の指で摘み、連結部１４の長さ方向において変位部８８Ａと変位部９９Ａとを逆方向に引っ張り、更に変位部８８Ａと変位部９８Ａとを逆の方向に回すことにより、係止された第１綴杆の綴杆係止部２２及び第２綴杆の綴杆係止部３２を外すことができるように構成されている。
【００１４】
第１綴杆２０を構成する半割杆２０Ａの先端に形成された第１綴杆の綴杆係止部２２を構成する先端の第１綴杆の凸部２４及びその第１綴杆の凸部２４に続く第１綴杆の凹部２６と、第２綴杆３０を構成する半割杆３０Ａの第２綴杆の綴杆係止部３２を構成する先端の第２綴杆の凸部３４及びその先端の第２綴杆の凸部３４に続く第２綴杆の凹部３６とは、第１綴杆２０と第２綴杆３０とを閉じたとき係合するように逆方向に向けて突き出しあるいは凹み形成されている。
すなわち、第１綴杆２０を構成する半割杆２０Ａの先端に形成された第１綴杆の綴杆係止部２２を構成する第１綴杆の凸部２４は、手前側に向けて突き出されている。そして、その第１綴杆の凸部２４に続く第１綴杆の凹部２６は、向こう側に向けて凹んでいる。半割杆３０Ａの先端に形成された第２綴杆の綴杆係止部３２を構成する第２綴杆の凸部３４は、向こう側に向けて突き出されている。そして、その先端の第２綴杆の凸部３４に続く第２綴杆の凹部３６は、手前側に向けて凹んでいる。
第１綴杆２０と第２綴杆３０とを閉じたとき係合するように、第１綴杆の凸部２４及び第１綴杆の凹部２６と第２綴杆の凸部３４及び第２綴杆の凹部３６とは、逆方向に向けて突き出しあるいは凹み形成されている。
半割杆２０Ａの第１綴杆の綴杆係止部２２を構成する第１綴杆の凸部２４と半割杆３０Ａの第２綴杆の綴杆係止部３２を構成する第２綴杆の凸部３４とは、反対方向に向けて突き出し設けられている。
また、半割杆２０Ａの第１綴杆の綴杆係止部２２を構成する第１綴杆の凹部２６と半割杆３０Ａの第２綴杆の綴杆係止部３２を構成する第２綴杆の凹部３６とは、反対方向に向けて凹み形成されている。
【００１５】
前記第１綴杆の綴杆係止部２２及び第２綴杆の綴杆係止部３２は、第１綴杆２０及び第２綴杆３０の回転方向と交差する方向に脱係しないように、第１綴杆２０及び第２綴杆３０の回転方向にのびる脱係防止部２８及び脱係防止部３８が形成されている。
脱係防止部２８は、頂部側において手前側に向けて突き出る鉤鼻状係止凸部２８ａと、基部２０ａ側において向こう側に向けて凹む係止凹部２８ｂとを有し、自由端側の係止凸部２８ａから続いて基部２０ａ側に係止凹部２８ｂが形成されている。
脱係防止部３８は、頂部側において向こう側に向けて突き出る鉤鼻状係止凸部３８ａと、基部３０ａ側において手前側に向けて凹む係止凹部３８ｂとを有し、自由端側の係止凸部３８ａから続いて基部３０ａ側に係止凹部３８ｂが形成されている。
第１綴杆２０と第２綴杆３０とを閉じたとき、脱係防止部２８の係止凸部２８ａは脱係防止部３８の係止凹部３８ｂに嵌合され、脱係防止部３８の係止凸部３８ａは脱係防止部２８の係止凹部２８ｂに嵌合され、係止凸部２８ａと係止凸部３８ａとは、第１綴杆２０と第２綴杆３０とを回転方向に引いたときに、突き当たる。
第１綴杆の綴杆係止部２２の脱係防止部２８は、第２綴杆の綴杆係止部３２の上部に向けて突き出され、第１綴杆の綴杆係止部２２と第２綴杆の綴杆係止部３２とを係合したときに、第２綴杆３０が上方に向けて衝撃などにより移動することを防止している。
第２綴杆の綴杆係止部３２の脱係防止部３８は、第１綴杆の綴杆係止部２２の上部に向けて突き出され、第２綴杆の綴杆係止部２２と第２綴杆の綴杆係止部３２とを係合したときに、第１綴杆２０が上方に向けて衝撃などにより移動することを防止している。
このように、この実施の形態においては、第１綴杆２０及び第２綴杆３０の頂部を指でねじることにより、第１綴具部材１８Ａの第１綴杆２０を向こう側に移動させ且つ第２綴具部材１８Ｂの第２綴杆３０を手前側に移動させて、第１綴杆２０の半割杆２０Ａの第１綴杆の綴杆係止部２２と第２綴杆３０の半割杆３０Ａの第２綴杆の綴杆係止部３２との係合を外すことができる。
なお、閉じるときにおいては、脱係防止部２８の係止凸部２８ａと脱係防止部３８の係止凸部３８ａとは、突き出たり滑りながら係止凹部３８ｂ及び係止凹部２８ｂに嵌まるように、なだらかな傾斜面が自由端から形成されている。
【００１６】
前記連結部１４を構成する第１綴具部材１８Ａの第１連結部５０は、第１連結部５０と第２連結部６０とが向き合う領域である第１連結部の対向部５６と、前記第１連結部の対向部５６と相対し第１綴杆２０が突設された第１連結部の外側部５２と、前記第１連結部の対向部５６と第１連結部の外側部５２との間において前記第１連結部の対向部５６及び第１連結部の外側部５２に交差する面で、軸部１６が連設された第１連結部の下側部５８とを備える。
前記連結部１４を構成する第２綴具部材１８Ｂの第２連結部６０は、第１連結部５０と第２連結部６０とが向き合う領域である第２連結部の対向部６６と、前記第２連結部の対向部６６と相対し第２綴杆３０が突設された第２連結部の外側部６２と、前記第２連結部の対向部６６と第２連結部の外側部６２との間において前記第２連結部の対向部６６及び第２連結部の外側部６２に交差する面で、軸部１６が連設された第２連結部の下側部６８とを備える。
この実施の形態においては、第１連結部５０及び第２連結部６０は、略四角柱状である。
そして、第１連結部の対向部５６と第２連結部の対向部６６とは、回転方向と直交し綴具１０を閉じたときに垂直にすなわち高さ方向にのびる平面であって、図９及び図１０に示すように綴具１０を閉じたときに密着するように形成されている。
【００１７】
前記連結部１４は、その側面に、第１綴杆２０及び第２綴杆３０の開き角度をリーフ１１０の挿入し易い角度、例えば約６０〜７０度に規制するための開き角規制部７０及び開き角規制部７２を形成されている。
第１綴具部材１８Ａの開き角規制部７０は、第１連結部５０の第１連結部の下側部５８の第１受け部８０に連続して形成された断面略半円弧状であり、第１連結部の下側部５８から下方に向けてのびる接合面７０ａを備え、一方、第２綴具部材１８Ｂの開き角規制部７２は、第２連結部６０の第２連結部の下側部６８の第２受け部９０に連続して形成された断面略半円弧状であり、第２連結部の下側部６８から下方に向けてのびる接合面７２ａを備える。
そして、綴杆部１２を閉じたときに、開き角規制部７０の接合面７０ａと開き角規制部７２の接合面７２ａとは、図９において示すように、略７０度開いた傾斜面であって対向しており、綴杆部１２を開いたときに、開き角規制部７０の接合面７０ａと開き角規制部７２の接合面７２ａとは、図１５において示すように、接し合い、半割杆１０Ａと半割杆３０Ａの開き角度を、リーフ１１０の挿入しや易い角度に規制する。
【００１８】
前記軸部１６は、シャフト部１００の受け部とシャフト部１００とを備える。
受け部は、第１連結部５０に連設された第１受け部８０と第２連結部６０に連設された第２受け部９０とから構成され、前記シャフト部１００は、前記連結部１４の長手方向に沿って、向こう側から手前側に連続してのび、第１綴具部材と第２綴具部材とを連結する。
前記第１受け部８０及び第２受け部９０は、前記綴杆部１２及び／又は連結部１４に連設され、シャフト部１００を装填するための開口部（第１受け部８０の開口部８４及び第２受け部９０の開口部９４）を側面に形成され、前記半割杆２０Ａ及び半割杆３０Ａの先端を合わせて閉鎖するとき及び半割杆２０Ａ及び半割杆３０Ａの先端を離間させるときに回転中心となり、第１綴杆２０及び第２綴杆３０に綴じられたリーフ１１０を第１綴杆２０及び第２綴杆３０に沿って捲り、３６０度捲りかえすことができるように構成されている。
【００１９】
前記第１受け部８０及び第２受け部９０は、前記連結部１４の長手方向に間欠的に形成され、半割杆２０Ａ及び半割杆３０Ａが前記シャフト部１００を中心にして回転し且つ第１綴杆２０及び第２綴杆３０を開閉するときに長手方向に相対変位するように形成されている。
【００２０】
前記シャフト部１００は、断面円形の棒状の金属棒である。それに対応して、前記第１受け部８０及び第２受け部９０は、全体が弧状で、その内側の円弧部８６及び円弧部９６に前記シャフト部１００を装填され、且つその外側の上部において、前記半割杆２０Ａ及び半割杆３０Ａの張り出し方向とは反対方向に張り出すように、前記連結部１４が連設されている。
この実施の形態においては、シャフト部１００と第１受け部８０及び第２受け部９０とは別部材であり、第１受け部８０は、合成樹脂により、第１綴具部材１８Ａと一体に形成され、第２受け部９０は、合成樹脂により、第２綴具部材１８Ｂと一体に形成されている。
そして、シャフト部１００は、第１綴具部材１８Ａの最も向こう側の第１受け部８０から、第２綴具部材１８Ｂの最も手前側の第２受け部９０に至るように、形成されている。
【００２１】
第１綴具部材１８Ａ側の第１受け部８０は、シャフト部１００に装填されたときに、隣接する第１受け部８０の間に、第１収容部８２を間欠的に形成され、第２綴具部材１８Ｂ側の第２受け部９０は、シャフト部１００に装填されたときに、隣接する第２受け部９０の間に、第２収容部９２を間欠的に形成されている。
そして、第１綴杆２０と第２綴杆３０とを閉鎖したときに、軸部１６の軸線上において、第１綴具部材１８Ａは、第１収容部８２に第２綴具部材１８Ｂの第２受け部９０を収容させ、且つ、第２綴具部材１８Ｂは、第２収容部９２に第１綴具部材１８Ａの第１受け部８０を収容させて、隣接する第１綴具部材１８Ａの第１受け部８０と第２綴具部材１８Ｂの第２受け部９０との間及び隣接する第２綴具部材１８Ｂの第２受け部９０と第１綴具部材１８Ａの第１受け部８０との間に適宜な間隔をあけて整列される。隣接する第１綴具部材１８Ａの第１受け部８０と第２綴具部材１８Ｂの第２受け部９０との間及び隣接する第２綴具部材１８Ｂの第２受け部９０と第１綴具部材１８Ａの第１受け部８０との間における適宜な間隔とは、第１綴杆２０と第２綴杆３０とを連結部１４の長手方向すなわち手前側及び向こう側に向けて相対移動させて、第１綴杆の綴杆係止部２２と第２綴杆の綴杆係止部３２とを脱係させるに必要な長さをいう。
それとともに、第１綴具部材１８Ａと第２綴具部材１８Ｂとは、第１綴杆２０と第２綴杆３０とを開閉するときに半割杆２０Ａと半割杆３０Ａとを相対変位するように、前記シャフト部１００に摺動自在に装填されている。
この実施の形態においては、第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。
この実施の形態においては、第１綴具部材１８Ａの向こう側の第１受け部８０の開口部８４は、向こう側が塞がれている。又、第２綴具部材１８Ｂの手前側の第２受け部９０の開口部９４は、手前側が塞がれている。従って、シャフト部１００の向こう側端は向こう側の第１受け部８０により抜け出ることを防止され、シャフト部１００の手前側端は手前側の第２受け部９０により抜け出ることを防止される。
【００２２】
半割杆２０Ａの基部２０ａの外周部及び半割杆３０Ａの基部３０ａの外周部は、連結部１４の下部と同じ位置に、その下部が位置するように形成され、軸部１６の第１受け部８０の外側及び第２受け部９０の外側は、連結部１４の下部と同じ位置に、その上部が位置するように形成されている。
この実施の形態においては、軸部１６の第１受け部８０は、開口部８４が半割杆２０Ａの外周部に接し、軸部１６の第２受け部９０は、開口部９４が半割杆３０Ａの外周部に接し、第１連結部５０は、半割杆２０Ａの内周部から第１受け部８０の開口部８４までの間の高さを有し、第２連結部６０は、半割杆３０Ａの内周部から第２受け部９０の開口部９４までの間の高さを有している。
【００２３】
前記連結部１４の幅（幅方向における）は、軸部１６の第１受け部８０又は軸部１６の第２受け部９０の幅（幅方向における）の２分の１以下である。これは、第１連結部５０の幅と第２連結部６０の幅とを合わせた幅が、軸部１６の第１受け部８０及び軸部１６の第２受け部９０の幅と同等又はそれ以下の方が、リーフ１１０を３６０度捲りかえして、軸部１６を挟んでリーフ１１０の表面と裏面とを比較的間隔をあけずに接し合わせることができるようにするためである。
【００２４】
前記第１連結部５０の中央あたりに存する前記第１綴具部材１８Ａの第１収容部８２と前記第２連結部６０の中央あたりに存する第２綴具部材１８Ｂの第２収容部９２との間に、前記シャフト部１００の長手方向にテンション（引張力又は圧縮力）をかける弾発部材１０２が、圧縮された状態で介装されている。弾発部材１０２は、鋼線をコイル形に巻いて作られたコイルバネにより形成され、筒形のコイルバネの輪の中にシャフト部１００を挿通されている。
そして、弾発部材１０２は、その向こう側端が第２綴具部材１８Ｂの第２受け部９０の手前側端に接し、その手前側端が第１綴具部材１８Ａの第１受け部８０の向こう側端に接して、復元力（均一な）によって第１綴具部材１８Ａを手前側に押し下げ且つ第２綴具部材１８Ｂを向こう側に押し上げるように構成されている。
而して、弾発部材１０２は、綴杆部１２を閉じているときには、第１綴杆の綴杆係止部２２と第２綴杆の綴杆係止部３２とを係合させる方向に作用している。
その第１綴杆の綴杆係止部２２及び第２綴杆の綴杆係止部３２を指で捩ることにより、係止された第１綴杆の綴杆係止部２２及び第２綴杆の綴杆係止部３２を外すときには、弾発部材１０２の弾発力に抗して第１綴具部材１８Ａの第１綴杆２０を向こう側に移動させ且つ第２綴具部材１８Ｂの２綴杆３０を手前側に移動させて、閉じていた第１綴杆２０と第２綴杆３０とを開く。
【００２５】
連結部１４は、連結部１４の長手方向に第１綴杆２０又は第２綴杆３０を変位させて第１綴杆の綴杆係止部２２及び第２綴杆の綴杆係止部３２を脱係させるための変位部８８Ａ，９８Ａが形成されている。すなわち、変位部８８Ａは、高さ方向における、第１連結部５０の上端部に突設された第１摘み部８８によって構成され、変位部９８Ａは、第２連結部６０の下端部に突設された第２摘み部９８によって構成されている。
【００２６】
第１摘み部８８は、第１連結部５０の上端から、第１綴杆の綴杆係止部２２を脱係する方向すなわち向こう側（上方）に向けてのびる円柱状棒体であり、指で摘むときに滑ることを防ぐための突条が水平方向にのびてなる滑り止め部８８ａを、その先端近傍に形成されている。
第２摘み部９８は、第２連結部６０の下端から、第２綴杆の綴杆係止部３２を脱係する方向すなわち手前側（下方）に向けてのびる円柱状棒体であり、指で摘むときに滑ることを防ぐための突条が水平方向にのびてなる滑り止め部９８ａを、その先端近傍に形成されている。
【００２７】
そして、第１綴杆の綴杆係止部２２及び第２綴杆の綴杆係止部３２は、図２０において示すように、第１摘み部８８を例えば左手の指で摘み、また第２摘み部９８を例えば右手の指で摘み、第１摘み部８８を向こう側（上方）に向けて、また第２摘み部９８を手前側（下方）に向けて引っ張って、脱係させる。そして、第１摘み部８８と第２摘み部９８とは、図２１において示すように、反対方向に回転させて、すなわち、第１摘み部８８の向こう側の方向を視て、第１摘み部８８は時計方向、第２摘み部９８は反時計方向に回転させて、綴杆部１２を開く。
【００２８】
綴具１０は、第１綴杆２０及び第２綴杆３０に、リーフ１１０の高さ方向に適宜な間隔をあけて連続して設けられた綴じ穴１１２を貫挿し、リーフ１１０の高さ方向にのびる綴じ代側端縁１１４の側に軸部１６を位置させ、綴じ穴１１２と綴じ代側端縁１１４との間に第１綴杆２０及び第２綴杆３０が架け渡されるようにして、リーフ１１０を綴じ、ノートを形成する。
綴具１０は、綴具１０の長さ方向が、幅方向にのびる端縁に綴じ穴１１２を形成したリーフ１１０の幅方向にのびるように、リーフ１１０を綴じて、ノートを形成してもよい。
【００２９】
リーフ１１０は、図２０及び２１において示すように、綴杆部１２に綴じられた綴じ代側端縁１１４の上下端、すなわち綴じ穴１１２の向こう側（上側）に第１摘み部８８を指で摘むときに指を入れることができるように、及び綴じ穴１１２の手前側（下側）に第２摘み部９８を指で摘むときに指を入れることができるように、略Ｌ字型の凹部１１６が形成されている。
したがって、リーフ１１０を第１綴杆２０側と第２綴杆３０側とに振り分けて広げたときにおいても、第１摘み部８８及び第２摘み部９８の周囲に指を入れる空間ができて、第１摘み部８８及び第２摘み部９８を引っ張ったり回したりすることができる。
【００３０】
綴具１０に綴じられたリーフ１１０は、図１７において示すように、軸部１６側に向けて捲りかえされ、閉じられて積層されていたときのリーフの表側１１０ａとリーフの裏側１１０ｂとを軸部１６を挟んで接し合わせるようにして、筆記等に用いることができる。
【００３１】
この発明の実施の形態によれば、綴杆部１２及び連結部１４は、一対の第１綴具部材１８Ａ及び第２綴具部材１８Ｂの各々に形成され、前記綴杆部１２を構成する綴杆２０，３０は、第１綴具部材１８Ａ側の第１綴杆２０と第２綴具部材１８Ｂ側の第２綴杆３０とが向き合うように、前記連結部１４の長手方向に適宜な間隔をおいて、連結部１４の外側部ないし上側部から突設されているので、綴杆部１２を開いたときに綴杆部１２の最下部が例えば机の天板等の表面に接地して水平安定し易く、且つ綴杆部１２を適宜な角度に開き易い。
この発明の実施の形態によれば、綴杆部１２は、前記軸部１６を中心にして左右に分かれた、対称形である第１綴杆２０及び第２綴杆３０を備え、前記連結部１４は、前記軸部１６を中心にして左右に分かれた、対称形である第１連結部５０及び第２連結部６０を備えているので、同一の金型で左右の部材を成形することができ、製造がし易い。
この発明の実施の形態によれば、連結部１４は、向き合う第１連結部５０及び第２連結部６０の対向部５６，６６と、前記対向部５６，６６と相対し綴杆２０，３０が突設された外側部５２，６２と、前記対向部５６，６６と外側部５２，６２との間において前記対向部５６，６６及び外側部５２，６２に交差する面で、軸部１６が連設された下側部５８，６８とを備えているので、第１連結部の対向部５６と第２連結部の対向部６６とは、回転方向と直交し綴具１０を閉じたときに垂直にすなわち高さ方向にのびる平面であって、綴具１０を閉じたときに密着するように形成すれば、綴具１０を閉じたときに第１綴杆の綴杆係止部２２と第２綴杆の綴杆係止部３２との係合状態を安定的に保つことができ、綴杆部１２を構成する第１綴杆２０と第２綴杆３０とにより構成される円環状の径を縮むように作用することを少なくすることができる。
この発明の実施の形態によれば、受け部８０，９０は、前記連結部１４の長手方向に間欠的に形成され、綴杆部１２が前記シャフト部１００を中心にして回転し且つ綴杆部１２を開閉するときに長手方向に相対変移するように形成されているので、複数の綴杆２０，３０で構成される綴杆部１２を一度に開閉させることができる。
この発明の実施の形態によれば、シャフト部１００は、断面円形の棒状であり、前記受け部８０，９０は、全体が弧状で、その内側の円弧部に前記シャフト部１００を装填され、且つその外側の上部において、前記綴杆２０，３０の張り出し方向とは反対方向に張り出すように、前記連結部１４が連設されているので、複数の綴杆２０，３０で構成される綴杆部１２を一度に開閉させることができ、且つ、綴杆部１２の最下部が例えば机の天板等の表面に接地して水平安定し易く、且つ綴杆部１２を適宜な角度に開き易い。
この発明の実施の形態によれば、綴杆２０，３０の基部２０ａ，３０ａは、連結部１４の下部と同じ位置に、下部が位置するように形成され、軸部１６の受け部８０，９０は、連結部１４の下部と同じ位置に、上部が位置するように形成されているので、綴杆部１２を開いたときに綴杆部１２の最下部が例えば机の天板等の表面に接地して水平安定し易く、且つ綴杆部１２を適宜な角度に開き易い。
この発明の実施の形態によれば、連結部１４の幅は、軸部１６の幅の２分の１以下であるので、軸部１６の幅よりはみ出すことがなく、リーフ１１０を綴杆２０，３０に沿って捲り、３６０度開いたときにリーフ１１０の表側と裏側との間の隙間が少なく、比較的平坦となり、筆記もし易い。
この発明の実施の形態によれば、軸部１６の受け部８０，９０は、受け部８０，９０の開口部８４，９４が綴杆２０，３０の外周部に接し、連結部１４は、綴杆２０，３０の内周部から受け部８０，９０の開口部８４，９４までの間の高さを有するので、リーフ１１０を綴杆２０，３０に沿って捲り、３６０度開いたときにリーフの表側１１０ａと裏側１１０ｂとの間の隙間が少なく、比較的平坦となり、筆記もし易い。
この発明の実施の形態によれば、綴杆係止部２２，３２は、綴杆２０，３０の回転方向において係止及び脱係するように、第１綴杆２０の凸部２４及び凹部２６と第２綴杆３０の凹部３６及び凸部３４とが係合するように構成され、且つ、綴杆２０，３０の回転方向と交差する方向に脱係しないように綴杆２０，３０の回転方向にのびる脱係防止部２８，３８が形成されているので、綴杆２０，３０の回転方向と交差する方向に、閉じられた綴杆の綴杆係止部２２，３２が脱係しにくい。
【００３２】
この発明の実施の綴具１０は、その綴杆部１２に、リーフ１１０の綴じ穴１１２を貫挿させて綴じられた、ノートを構成でき、又、表表紙と裏表紙と背表紙とを備えた表紙に固定して、ファイル・バインダ類を構成できる。
【００３３】
この発明は、前記実施の形態に限らず、この発明の思想に基づき種々変更することができる。
図１８は、前記実施の形態の変形例である綴具の斜視図解図である。
この綴具２１０は、複数の綴杆部２１２と、前記綴杆部２１２を連結するための連結部２１４と、前記綴杆部２１２を構成する第１綴杆２２０と第２綴杆２３０とを開閉させるときの中心となるシャフト部３００を有する軸部２１６とを備える。
前記綴杆部２１２を構成する綴杆は、一対の第１綴杆２２０と第２綴杆２３０とが向き合うように、前記連結部２１４を構成する一対の第１連結部２５０と第２連結部２６０との各々に、その長手方向に適宜な間隔をおいて、連結部２１４の外側部ないし上側部から突設されている。
前記連結部２１４は、綴杆部２１２に綴じられたリーフ１１０を第１綴杆２２０及び第２綴杆２３０に沿って捲り、３６０度捲りかえし、閉じたときに両端にあるリーフ１１０の表側と裏側とが軸部２１６を挟んで接し合うことができるように、下部において第１綴杆２２０及び第２綴杆２３０の基部と近接した位置に軸部２１６を連設されている。
前記軸部２１６は、分離された、第１受け部２８０及び第１収容部２８２と第２受け部２９０及び第２収容部２９２とを備えており、前記連結部２１４の長手方向にのびて一対の第１連結部２５０と第２連結部２６０とを連結し、前記第１綴杆２２０と第２綴杆２３０との先端を合わせて閉鎖するとき及び第１綴杆２２０と第２綴杆２３０との先端を離間させるときに回転中心となり、綴杆部２１２に綴じられたリーフ１１０を綴杆に沿って捲り、３６０度捲りかえすことができるように構成されている。
第１綴杆２２０及び第２綴杆２３０の基部は、第１連結部２５０及び第２連結部２６０の下部と同じ位置に、その第１綴杆２２０及び第２綴杆２３０の外周部の下部が位置するように形成され、軸部２１６を構成する第１受け部２８０及び第２受け部２９０は、第１連結部２５０及び第２連結部２６０の下部と同じ位置に、その上部が位置するように形成されている。
【００３４】
図２２は、別の実施の形態である綴具の閉じた状態における斜視図解図であり、図２３は、この発明にかかる図２２図示綴具を用いたノートにおける綴具の開き方を示す平面図解図であり、図２４は、この発明にかかる図２２図示綴具を用いたノートにおける綴具の開き方を示す平面図解図である。
図２２図示綴具１０の連結部１４は、連結部１４の長手方向に第１綴杆２０又は第２綴杆３０を変位させて第１綴杆の綴杆係止部２２及び第２綴杆の綴杆係止部３２を脱係させるための変位部８８Ａ，９８Ａが形成されている。すなわち、変位部８８Ａは、高さ方向における、第１連結部５０の上端部に突設された第１摘み部８８によって構成され、変位部９８Ａは、第２連結部６０の下端部に突設された第２摘み部９８によって構成されている。
【００３５】
第１摘み部８８は、第１連結部５０の上端から、第１綴杆の綴杆係止部２２を脱係する方向すなわち向こう側（上方）に向けてのびる角柱状棒体であり、指で摘むときに滑ることを防ぐための突条が水平方向にのびてなる滑り止め部８８ａを、その先端近傍で第１綴杆２０を開く方向とは反対側の面に形成されている。
第２摘み部９８は、第２連結部６０の下端から、第２綴杆の綴杆係止部３２を脱係する方向すなわち手前側（下方）に向けてのびる角柱状棒体であり、指で摘むときに滑ることを防ぐための突条が水平方向にのびてなる滑り止め部９８ａを、その先端近傍で第２綴杆３０を開く方向とは反対側の面に形成されている。
【００３６】
そして、第１綴杆の綴杆係止部２２及び第２綴杆の綴杆係止部３２は、図２３において示すように、第１摘み部８８を例えば左手の指で摘み、また第２摘み部９８を例えば右手の指で摘み、第１摘み部８８を向こう側（上方）に向けて、また第２摘み部９８を手前側（下方）に向けて引っ張って、脱係させる。そして、図２４において示すように、第１摘み部８８と第２摘み部９８とは、反対方向に回転させて、すなわち、第１摘み部８８の向こう側の方向を視て、第１摘み部８８は時計方向、第２摘み部９８は反時計方向に回転させて、綴杆部１２を開く。
【００３７】
図２５は、この発明にかかる別の実施の形態である綴具の斜視図解図であり、図２６は、この発明にかかる別の実施の形態である図２５図示綴具の閉じた状態における斜視図解図であり、図２７は、この発明にかかる綴具を用いたノートにおける図２５図示綴具の開き方を示す平面図解図であり、図２８は、この発明にかかる綴具を用いたノートにおける図２５図示綴具の開き方を示す平面図解図である。
この発明にかかる別の綴具５１０は、複数の綴杆部５１２と、前記綴杆部５１２を連結するための連結部５１４とを備える綴具であって、綴杆部５１２を連結部５１４の長さ方向に変位させて閉じている綴杆部５１２を開くことができるように構成されている。
綴具５１０は、綴杆部５１２と連結部５１４とを、比較的弾力性を有する合成樹脂で一体成形されている。
この綴具５１０は、図２７及び２８において示すように、主として、一般的にセルリング式ノートと称されるノートに類似したノート用として構成され、綴具５１０の綴杆部５１２に沿ってリーフ１１０を回転させて３６０度広げること、すなわち綴杆部５１２に綴じられたリーフ１１０を綴杆に沿って捲り、３６０度捲りかえし、閉じたときに両端にあるリーフ１１０の表側と裏側とが軸部５１６を挟んで接し合うことができるように、構成されている。
通常、綴じ穴のある筆記する用紙の表側及び裏側に該用紙よりも比較的硬質の表紙が積層されており、この明細書及び特許請求の範囲においては、リーフ１１０の表側及び裏側には、用紙、合成樹脂製ポケット等の表面側の表表紙の表側と裏面側の裏表紙の裏側とを含まれる。
【００３８】
前記綴杆部５１２を構成する綴杆は、一対の綴杆が向き合うように、前記連結部５１４を構成する一対の連結部５１４の各々にその長手方向に適宜な間隔をおいて、連結部５１４の外側部ないし上側部から突設され、前記綴杆部５１２は、前記軸部５１６を中心にして左右に分かれ、対向する第１綴杆５２０と第２綴杆５３０とを備える。
前記連結部５１４は、向こう側から手前側に連続して長手方向に直線状にのびる略柱状である。
【００３９】
この実施の形態においては、第１綴杆５２０は、長く形成され、第２綴杆５３０は、短く形成され、第１綴杆５２０の方が第２綴杆５３０と比較してより弾力性を有し変位させ易いように形成されている。
【００４０】
前記連結部５１４は、綴杆部５１２に綴じられたリーフ１１０を第１綴杆５２０及び第２綴杆５３０に沿って捲り、３６０度捲りかえし、閉じたときに両端にあるリーフ１１０の表側と裏側とが連結部５１４を挟んで接し合うことができるように、下部において第１綴杆５２０及び第２綴杆５３０の基部と近接した位置に連設されている。
前記連結部５１４は、前記第１綴杆５２０の自由端５２０ｂと第２綴杆５３０の自由端５３０ｂとを合わせて閉鎖するとき及び第１綴杆５２０の自由端５２０ｂと第２綴杆５３０の自由端５３０ｂとを離間させるときに回転中心となり、綴杆部５１２に綴じられたリーフ１１０を第１綴杆５２０及び第２綴杆５３０に沿って捲り、３６０度捲りかえすことができるように構成されている。
【００４１】
綴杆部５１２は、第１綴杆５２０及び第２綴杆５３０の連結部５１４に連設された基部５２０ａ及び基部５３０ａとは反対側の自由端５２０ｂ及び自由端５３０ｂに、第１綴杆５２０及び第２綴杆５３０を閉鎖したときに係止するための綴杆係止部を形成されている。すなわち、第１綴杆５２０は、基部５２０ａとは反対側の頂部である自由端５２０ｂに第１綴杆の綴杆係止部５２２を形成され、第２綴杆５３０は、基部５３０ａとは反対側の頂部である自由端５３０ｂに第２綴杆の綴杆係止部５３２を形成されている。
この実施の形態の綴具５１０の第１綴杆の綴杆係止部５２２及び第２綴杆の綴杆係止部５３２は、前記図１図示綴具１０の第１綴杆の綴杆係止部２２及び第２綴杆の綴杆係止部３２と同じ構成である。
綴杆部５１２は、基部５２０ａ及び基部５３０ａから頂部に至る高さ方向（垂直方向）と、第１綴杆５２０の外周部（外側部）から第２綴杆５３０の外周部（外側部）に至る幅方向（水平方向）とを備え、第１綴杆５２０及び第２綴杆５３０の厚さ（外周部と内周部との間の長さ）よりも、綴具の長さ方向における第１綴杆５２０及び第２綴杆５３０の幅の方が長い、断面長方形状である。そして、第１綴杆５２０及び第２綴杆５３０は、基部５２０ａ及び基部５３０ａから頂部に至るまで、リーフ１１０を捲ることができるように、リーフ１１０の綴じ穴１１２に貫挿される形状に構成されている。
前記第１綴杆の綴杆係止部５２２及び第２綴杆の綴杆係止部５３２は、係止する第１綴杆５２０及び第２綴杆５３０の回転方向と交差する方向に、すなわち連結部５１４の長さ方向に第１綴杆５２０と第２綴杆５３０とを相対移動して、第１綴杆５２０及び第２綴杆５３０の先端を合わせて閉鎖するときに係止し又は第１綴杆５２０及び第２綴杆５３０の先端を離間させるときに脱係するように形成されている。
【００４２】
第１綴杆５２０は、閉じたときに略円環状の綴杆となるように、半円弧状の半割杆５２０Ａから構成され、第２綴杆５３０は、閉じたときに略円環状の綴杆となるように、半円弧状の半割杆５３０Ａから構成され、第１綴杆５２０と第２綴杆５３０とは対向するように構成されている。
そして、リーフ１１０に予め穿設された綴じ穴１１２に挿通して、リーフ１１０を綴じることができるように、半割杆５２０Ａと半割杆５３０Ａとの先端、すなわち第１綴杆５２０及び第２綴杆５３０の頂部において、綴杆係止部５２２，５３２が形成されている。
第１綴杆５２０を構成する半割杆５２０Ａと第２綴杆５３０を構成する半割杆５３０Ａとは、半割杆５２０Ａの第１綴杆の綴杆係止部５２２と、半割杆５３０Ａの第２綴杆の綴杆係止部５３２とを係止することにより、略円環状に連結される。
【００４３】
第１綴杆５２０及び第２綴杆５３０は、無負荷時すなわち成形時においては、第１綴杆の綴杆係止部５２２と第２綴杆の綴杆係止部５３２とが係合しないでわずかに開いた状態になるように、構成されている。
綴杆部５１２を閉じるときにおいては、第１綴杆５２０の第１綴杆の綴杆係止部５２２と第２綴杆５３０の第２綴杆の綴杆係止部５３２とを係合させて、略円環状となるように構成されている。
そして、綴杆部５１２を開くときにおいては、第１綴杆５２０と第２綴杆５３０とは、第１綴杆５２０及び第２綴杆５３０に嵌挿されたリーフ１１０を連結部５１４の長さ方向において第１綴杆の綴杆係止部５２２と第２綴杆の綴杆係止部５３２とが外れる方向すなわち逆方向に引っ張ることにより、係止された第１綴杆の綴杆係止部５２２と第２綴杆の綴杆係止部５３２とを外すことができるように構成されている。
リーフ１１０は、綴杆部５１２を開くときに第１綴杆５２０と第２綴杆５３０とを変位させる変位体を構成している。
【００４４】
第１綴杆５２０を構成する半割杆５２０Ａの先端に形成された第１綴杆の綴杆係止部５２２を構成する先端の第１綴杆の凸部５２４及びその第１綴杆の凸部５２４に続く第１綴杆の凹部５２６と、第２綴杆５３０を構成する半割杆５３０Ａの第２綴杆の綴杆係止部５３２を構成する先端の第２綴杆の凸部５３４及びその先端の第２綴杆の凸部５３４に続く第２綴杆の凹部５３６とは、第１綴杆５２０と第２綴杆５３０とを閉じたとき係合するように逆方向に向けて突き出しあるいは凹み形成されている。
すなわち、第１綴杆５２０を構成する半割杆５２０Ａの先端に形成された第１綴杆の綴杆係止部５２２を構成する第１綴杆の凸部５２４は、手前側に向けて突き出されている。そして、その第１綴杆の凸部５２４に続く第１綴杆の凹部５２６は、向こう側に向けて凹んでいる。半割杆５３０Ａの先端に形成された第２綴杆の綴杆係止部５３２を構成する第２綴杆の凸部５３４は、向こう側に向けて突き出されている。そして、その先端の第２綴杆の凸部５３４に続く第２綴杆の凹部５３６は、手前側に向けて凹んでいる。
第１綴杆５２０と第２綴杆５３０とを閉じたとき係合するように、第１綴杆の凸部５２４及び第１綴杆の凹部５２６と第２綴杆の凸部５３４及び第２綴杆の凹部５３６とは、逆方向に向けて突き出しあるいは凹み形成されている。
半割杆５２０Ａの第１綴杆の綴杆係止部５２２を構成する第１綴杆の凸部５２４と半割杆５３０Ａの第２綴杆の綴杆係止部５３２を構成する第２綴杆の凸部５３４とは、反対方向に向けて突き出し設けられている。
また、半割杆５２０Ａの第１綴杆の綴杆係止部５２２を構成する第１綴杆の凹部５２６と半割杆５３０Ａの第２綴杆の綴杆係止部５３２を構成する第２綴杆の凹部５３６とは、反対方向に向けて凹み形成されている。
【００４５】
前記第１綴杆の綴杆係止部５２２及び第２綴杆の綴杆係止部５３２は、第１綴杆５２０及び第２綴杆５３０の回転方向及び回転方向と交差する方向に脱係しないように、第１綴杆５２０及び第２綴杆５３０の回転方向と交差する方向にのびる脱係防止部５２８及び脱係防止部５３８が形成されている。
脱係防止部５２８は、頂部側において手前側に向けて突き出る鉤鼻状係止凸部５２８ａと、基部５２０ａ側において向こう側に向けて凹む係止凹部５２８ｂとを有し、自由端側の係止凸部５２８ａから続いて基部５２０ａ側に係止凹部５２８ｂが形成されている。
脱係防止部５３８は、頂部側において向こう側に向けて突き出る鉤鼻状係止凸部５３８ａと、基部５３０ａ側において手前側に向けて凹む係止凹部５３８ｂとを有し、自由端側の係止凸部５３８ａから続いて基部５３０ａ側に係止凹部５３８ｂが形成されている。
第１綴杆５２０と第２綴杆５３０とを閉じたとき、脱係防止部５２８の係止凸部５２８ａは脱係防止部５３８の係止凹部５３８ｂに嵌合され、脱係防止部５３８の係止凸部５３８ａは脱係防止部５２８の係止凹部５２８ｂに嵌合され、係止凸部５２８ａと係止凸部５３８ａとは、第１綴杆５２０と第２綴杆５３０とを回転方向に引いたときに、突き当たる。
第１綴杆の綴杆係止部５２２の脱係防止部５２８は、第２綴杆の綴杆係止部５３２の上部に向けて突き出され、第１綴杆の綴杆係止部５２２と第２綴杆の綴杆係止部５３２とを係合したときに、第２綴杆５３０が上方に向けて衝撃などにより移動することを防止している。
第２綴杆の綴杆係止部５３２の脱係防止部５３８は、第１綴杆の綴杆係止部５２２の上部に向けて突き出され、第２綴杆の綴杆係止部５２２と第２綴杆の綴杆係止部５３２とを係合したときに、第１綴杆５２０が上方に向けて衝撃などにより移動することを防止している。
【００４６】
このように、この実施の形態においては、第１綴杆５２０に嵌挿された表側のリーフ１１０と第２綴杆５３０に嵌挿された裏側のリーフ１１０とを、手で逆方向に引っ張ることにより、第１綴杆５２０を向こう側に移動させ且つ第２綴杆５３０を手前側に移動させて、第１綴杆５２０の半割杆５２０Ａの第１綴杆の綴杆係止部５２２と第２綴杆５３０の半割杆５３０Ａの第２綴杆の綴杆係止部５３２との係合を外すことができる。更に、第１綴杆５２０に嵌挿された表側のリーフ１１０と第２綴杆５３０に嵌挿された裏側のリーフ１１０とを、手で幅方向において逆方向に（表側のリーフ１１０を左側に、裏側のリーフ１１０を右側に）引っ張ることにより、第１綴杆５２０を表側（右側）に移動させ且つ第２綴杆５３０を裏側に移動させて、第１綴杆５２０の自由端と第２綴杆５３０の自由端との間隔を広げることができる。
なお、閉じるときにおいては、脱係防止部５２８の係止凸部５２８ａと脱係防止部５３８の係止凸部５３８ａとは、突き出たり滑りながら係止凹部５３８ｂ及び係止凹部５２８ｂに嵌まるように、なだらかな傾斜面が自由端から形成されている。
【００４７】
半割杆５２０Ａの基部５２０ａの外周部及び半割杆５３０Ａの基部５３０ａの外周部は、連結部５１４の下部と同じ位置に、その下部が位置するように形成されている。
前記連結部５１４の幅（幅方向における）は、第１綴杆５２０側のリーフ１１０と第２綴杆５３０側のリーフ１１０とを３６０度捲りかえして、連結部５１４を挟んで第１綴杆５２０側のリーフ１１０の表面と第２綴杆５３０側のリーフ１１０の裏面とを比較的間隔をあけずに接し合わせることができるように短く形成されている。
【００４８】
綴具５１０は、第１綴杆５２０及び第２綴杆５３０に、リーフ１１０の高さ方向に適宜な間隔をあけて連続して設けられた綴じ穴１１２を貫挿し、リーフ１１０の高さ方向にのびる綴じ代側端縁１１４の側に軸部５１６を位置させ、綴じ穴１１２と綴じ代側端縁１１４との間に第１綴杆５２０及び第２綴杆５３０が架け渡されるようにして、リーフ１１０を綴じ、ノートを形成する。
綴具５１０は、綴具５１０の長さ方向が、幅方向にのびる端縁に綴じ穴１１２を形成したリーフ１１０の幅方向にのびるように、リーフ１１０を綴じて、ノートを形成してもよい。
【００４９】
綴具５１０に綴じられたリーフ１１０は、図１７において示すように、軸部５１６側に向けて捲りかえされ、閉じられて積層されていたときのリーフの表側１１０ａとリーフの裏側１１０ｂとを軸部５１６を挟んで接し合わせるようにして、筆記等に用いることができる。
【００５０】
この発明の実施の形態によれば、前記綴杆部５１２を構成する綴杆５２０，５３０は、第１綴杆５２０と第２綴杆５３０とが向き合うように、前記連結部５１４の長手方向に適宜な間隔をおいて、連結部５１４の外側部ないし上側部から突設されているので、綴杆部５１２を開いたときに綴杆部５１２の最下部が例えば机の天板等の表面に接地して水平に安定し易く、且つ綴杆部５１２を適宜な角度に開き易い。
この発明の実施の形態によれば、綴杆５２０，５３０の基部５２０ａ，５３０ａは、連結部５１４の下部と同じ位置に、下部が位置するように形成されているので、綴杆部５１２を開いたときに綴杆部５１２の最下部が例えば机の天板等の表面に接地して水平に安定し易く、且つ綴杆部５１２を適宜な角度に開き易い。
この発明の実施の形態によれば、綴杆係止部５２２，５３２は、綴杆５２０，５３０の回転方向において係止及び脱係するように、第１綴杆５２０の凸部５２４及び凹部５２６と第２綴杆５３０の凹部５３６及び凸部５３４とが係合するように構成され、且つ、綴杆部５１２を閉じたとき、綴杆５２０，５３０の回転方向及び回転方向と交差する方向に脱係しないように綴杆５２０，５３０の回転方向と交差する方向にのびる脱係防止部５２８，５３８が形成されているので、綴杆５２０，５３０の回転方向と交差する方向に、閉じられた綴杆の綴杆係止部５２２，５３２が脱係しにくい。
【００５１】
この発明の実施の綴具５１０は、その綴杆部５１２に、リーフ１１０の綴じ穴１１２を貫挿させて綴じられた、ノートを構成でき、又、表表紙と裏表紙と背表紙とを備えた表紙に固定して、ファイル・バインダ類を構成できる。
【００５２】
なお、前記実施の形態の綴具５１０は、図１図示実施の形態の連結部１４に比較的近い構造である、連結部５１４を表側と裏側とに分断した構成にしてもよい。図２９は、図２５図示綴具の変形例である綴具の平面図解図であり、（Ａ）は閉じた状態を示す図で、（Ｂ）は開いた状態を示す図であり、図３０は、図２５図示綴具の変形例である綴具の側面図解図であり、（Ａ）は閉じた状態を示す図で、（Ｂ）は開いた状態を示す図であり、図３１は、この発明にかかる綴具を用いたノートにおける綴具の開き方を示す平面図解図であり、図３２は、この発明にかかる綴具を用いたノートにおける図３１図示綴具の開き方を示す平面図解図である。
図２９及び３０図示綴具５１０は、前記図２５図示実施の形態の綴具５１０の変形例であり、連結部５１４が、第１連結部５５０と第２連結部５６０とに分断され、第１連結部５５０と第２連結部５６０とは、薄肉状のヒンジ部５７０によって連結されている。
連結部５１４を構成する第１連結部５５０は、第１連結部５５０と第２連結部５６０とが向き合う領域である第１連結部の対向部５５６を備え、また、連結部５１４を構成する第２連結部５６０は、第１連結部５５０と第２連結部５６０とが向き合う領域である第２連結部の対向部５６６を備える。
そして、第１連結部の対向部５５６と第２連結部の対向部５６６とは、回転方向と直交し、綴具５１０を閉じたときに垂直にすなわち高さ方向にのびる平面であって、ヒンジ部５７０は第１連結部５５０と第２連結部５６０の高さ方向において向こう側から手前側に連続して形成され、図３０（Ｂ）に示すように、綴具５１０を閉じたときに対向部５５６と対向部５６６とが密着するように構成されている。
【００５３】
第１綴杆５２０及び第２綴杆５３０は、無負荷時すなわち成形時においては、第１綴杆の綴杆係止部５２２と第２綴杆の綴杆係止部５３２とが係合しないでわずかに開いた状態になるように、構成されている。
綴杆部５１２を閉じるときにおいては、第１綴杆５２０の第１綴杆の綴杆係止部５２２と第２綴杆５３０の第２綴杆の綴杆係止部５３２とを係合させて、略円環状となるように構成されている。
そして、綴杆部５１２を開くときにおいては、第１綴杆５２０と第２綴杆５３０とは、第１綴杆５２０及び第２綴杆５３０に嵌挿されたリーフ１１０を連結部５１４の長さ方向において第１綴杆の綴杆係止部５２２と第２綴杆の綴杆係止部５３２とが外れる方向すなわち逆方向に引っ張ることにより、係止された第１綴杆の綴杆係止部５２２と第２綴杆の綴杆係止部５３２とを外すことができるように構成されている。
リーフ１１０は、綴杆部５１２を開くときに第１綴杆５２０と第２綴杆５３０とを変位させる変位体を構成している。
【００５４】
図２５図示綴具５１０は、第１綴杆５２０及び第２綴杆５３０を撓み易くして、相対移動を容易にするために、図３１及び３２において示すように、綴杆の数を減らしてもよい。
【００５５】
綴具５１０は、第１綴杆５２０及び第２綴杆５３０に、リーフ１１０の高さ方向に適宜な間隔をあけて連続して設けられた綴じ穴１１２を貫挿し、リーフ１１０の高さ方向にのびる綴じ代側端縁１１４の側に軸部５１６を位置させ、綴じ穴１１２と綴じ代側端縁１１４との間に第１綴杆５２０及び第２綴杆５３０が架け渡されるようにして、リーフ１１０を綴じ、ノートを形成する。
綴具５１０は、綴具５１０の長さ方向が、幅方向にのびる端縁に綴じ穴１１２を形成したリーフ１１０の幅方向にのびるように、リーフ１１０を綴じて、ノートを形成してもよい。
【産業上の利用可能性】
【００５６】
この発明にかかる綴具１０は、ファイル・バインダ類を構成する表紙の背表紙領域の内側に固定して、用いることができ、又、単独で用いてもよい。
【図面の簡単な説明】
【００５７】
【図１】この発明にかかる綴具を用いたノートの斜視図解図である。
【図２】この発明にかかる綴具の斜視図解図であり、（Ａ）は全体の図で、（Ｂ）は部分的に拡大した図である。
【図３】この発明にかかる綴具の斜視図解図であり、（Ａ）は全体の図で、（Ｂ）は部分的に拡大した図であり、（Ｃ）（Ｄ）は半割杆の図である。
【図４】第１綴具部材の斜視図解図である。
【図５】第２綴具部材の斜視図解図である。
【図６】この発明にかかる綴具を分解した状態における斜視図解図である。
【図７】閉じた状態における綴具の正面図解図である。
【図８】閉じた状態における綴具の背面図解図である。
【図９】図７Ａ−Ａ断面図解図である。
【図１０】図７Ｂ−Ｂ断面図解図である。
【図１１】開き始めた状態における綴具の正面図解図である。
【図１２】開き始めた状態における綴具の背面図解図である。
【図１３】開いた状態における綴具の正面図解図である。
【図１４】開いた状態における綴具の背面図解図である。
【図１５】図１３Ａ−Ａ断面図解図である。
【図１６】図１３Ｂ−Ｂ断面図解図である。
【図１７】ノートのリーフの開き方を示す平面図解図であり、（Ａ）は閉じた状態の図で、（Ｂ）は半分捲った状態の図で、（Ｃ）は３６０度捲った状態の図である。
【図１８】変形例の斜視図解図である。
【図１９】この発明にかかる綴具の開き方を示す斜視図解図である。
【図２０】この発明にかかる綴具を用いたノートにおける綴具の開き方を示す平面図解図である。
【図２１】この発明にかかる綴具を用いたノートにおける綴具の開き方を示す平面図解図である。
【図２２】別の実施の形態である綴具の閉じた状態における斜視図解図である。
【図２３】この発明にかかる図２２図示綴具を用いたノートにおける綴具の開き方を示す平面図解図である。
【図２４】この発明にかかる図２２図示綴具を用いたノートにおける綴具の開き方を示す平面図解図である。
【図２５】この発明にかかる別の実施の形態である綴具の斜視図解図である。
【図２６】この発明にかかる別の実施の形態である図２５図示綴具の閉じた状態における斜視図解図である。
【図２７】この発明にかかる綴具を用いたノートにおける図２５図示綴具の開き方を示す平面図解図である。
【図２８】この発明にかかる綴具を用いたノートにおける図２５図示綴具の開き方を示す平面図解図である。
【図２９】図２５図示綴具の変形例である綴具の平面図解図であり、（Ａ）は閉じた状態を示す図で、（Ｂ）は開いた状態を示す図である。
【図３０】図２５図示綴具の変形例である綴具の側面図解図であり、（Ａ）は閉じた状態を示す図で、（Ｂ）は開いた状態を示す図である。
【図３１】この発明にかかる綴具を用いたノートにおける綴具の開き方を示す平面図解図である。
【図３２】この発明にかかる綴具を用いたノートにおける図３１図示綴具の開き方を示す平面図解図である。
【図３３】綴具の説明図である。
【図３４】ノートの説明図であり、（Ａ）は全体の図であり、（Ｂ）はリーフの図である。
【符号の説明】
【００５８】
１０，２１０，５１０  綴具
１２，２１２，５１２  綴杆部
１４，２１４，５１４  連結部
１６，２１６，５１６  軸部
１８Ａ  第１綴具部材
１８Ｂ  第２綴具部材
２０，２２０，５２０  第１綴杆
３０，２３０，５３０  第２綴杆
２０ａ，３０ａ，５２０ａ，５３０ａ  基部
２０ｂ，３０ｂ，５２０ｂ，５３０ｂ  自由端
２０Ａ，３０Ａ，５２０Ａ，５３０Ａ  半割杆
２２，５２２  第１綴杆の綴杆係止部
３２，５３２  第２綴杆の綴杆係止部
２４，５２４  第１綴杆の凸部
３４，５３４  第２綴杆の凸部
２６，５２６  第１綴杆の凹部
３６，５３６  第２綴杆の凹部
２８，３８，５２８，５３８  脱係防止部
２８ａ，３８ａ，５２８ａ，５３８ａ  係止凸部
２８ｂ，３８ｂ，５２８ｂ，５３８ｂ  係止凹部
５０，２５０，５５０  第１連結部
６０，２６０，５６０  第２連結部
５２  第１連結部の外側部
６２  第２連結部の外側部
５４  第１連結部の上側部
６４  第２連結部の上側部
５６  第１連結部の対向部
６６  第２連結部の対向部
５８  第１連結部の下側部
６８  第２連結部の下側部
７０，７２  開き角規制部
７０ａ，７２ａ  接合面
８０，２８０  第１受け部
９０，２９０  第２受け部
８２，２８２  第１収容部
９２，２９２  第２収容部
８４，９４  開口部
８６，９６  円弧部
８８  第１摘み部
９８  第２摘み部
８８Ａ，９８Ａ  変位部
８８ａ，９８ａ  滑り止め部
１００，３００  シャフト部
１０２  弾発部材
１１０  リーフ
１１０ａ  リーフの表側
１１０ｂ  リーフの裏側
１１２  綴じ穴
１１４  綴じ代側端縁
１１６  凹部
５５６，５６６  対向部
５７０  ヒンジ部
【図１】
2010120367.tif 000003
【図２】
2010120367.tif 000004
【図３】
2010120367.tif 000005
【図４】
2010120367.tif 000006
【図５】
2010120367.tif 000007
【図６】
2010120367.tif 000008
【図７】
2010120367.tif 000009
【図８】
2010120367.tif 000010
【図９】
2010120367.tif 000011
【図１０】
2010120367.tif 000012
【図１１】
2010120367.tif 000013
【図１２】
2010120367.tif 000014
【図１３】
2010120367.tif 000015
【図１４】
2010120367.tif 000016
【図１５】
2010120367.tif 000017
【図１６】
2010120367.tif 000018
【図１７】
2010120367.tif 000019
【図１８】
2010120367.tif 000020
【図１９】
2010120367.tif 000021
【図２０】
2010120367.tif 000022
【図２１】
2010120367.tif 000023
【図２２】
2010120367.tif 000024
【図２３】
2010120367.tif 000025
【図２４】
2010120367.tif 000026
【図２５】
2010120367.tif 000027
【図２６】
2010120367.tif 000028
【図２７】
2010120367.tif 000029
【図２８】
2010120367.tif 000030
【図２９】
2010120367.tif 000031
【図３０】
2010120367.tif 000032
【図３１】
2010120367.tif 000033
【図３２】
2010120367.tif 000034
【図３３】
2010120367.tif 000035
【図３４】
2010120367.tif 000036